(57)【要約】      （修正有）【課題】フェース面のチェックを行う練習と、シャフトの軸の方向のチェックを行う練習の双方の練習メニューに、より効果的に利用可能なゴルフ練習用装置を提供する。【解決手段】レーザ光線を照射するための発光装置３と、発光装置３を脱着可能に有する練習装置本体２と、を備えたゴルフ練習用装置１であって、発光装置３は、レーザ光線を照射するために一端側に設けられた照射部と、レーザ光線の軸方向に沿って他端側から伸びるピン部と、を備え、練習用装置本体２は、練習用装置本体２をゴルフクラブ４に固定装着するための装着部２１と、発光装置３を任意の方向に向けて固定装着するための可動固定部２４と、を備える。【選択図】図１
0003194560.tif 000002
【実用新案登録請求の範囲】
【請求項１】
レーザ光線を照射するための発光装置と、前記発光装置を脱着可能に有する練習装置本体と、を備えたゴルフ練習用装置であって、
前記発光装置は、レーザ光線を照射するために一端側に設けられた照射部と、
前記レーザ光線の軸方向に沿って他端側から伸びるピン部と、を備え、
前記練習用装置本体は、前記練習用装置本体をゴルフクラブに固定装着するための装着部と、
前記発光装置を任意の方向に向けて固定装着するための可動固定部と、を備えることを特徴とするゴルフ練習用装置。
【請求項２】
前記可動固定部は、前記ゴルフクラブのシャフト軸に対して、水平となる１平面方向にのみ回転可動することを特徴とする請求項１に記載のゴルフ練習用装置。
【請求項３】
前記レーザ光線は赤色光であることを特徴とする請求項１又は請求項２に記載のゴルフ練習用装置。
【請求項４】
前記装着部は、前記ゴルフクラブのグリップ若しくはシャフトにかみ合わせるための可撓部材と、
前記可撓性部材を覆い、締めつけを行う為の締め付け部材と、を備えることを特徴とする請求項１〜３の何れかに記載のゴルフ練習用装置。
【考案の詳細な説明】
【技術分野】
【０００１】
本考案は、ゴルフのスイング練習行うためのゴルフ練習用装置に関するものである。
【背景技術】
【０００２】
従来、ゴルフの練習には、カメラを使った装置や、発光体を内蔵した練習用のゴルフクラブなどが利用されていた。
【０００３】
しかしながら、カメラを用いたゴルフ練習用装置は、大掛かりであるため家庭で気軽に利用できるものではなかった。また、発光体を内蔵したゴルフクラブならば気軽に練習を行うことは可能であるが、実際に大会などで使用する自身のゴルフクラブを用いての練習はできないため、効果的に練習ができるとは言い難い。
【０００４】
特許文献１には、半導体レーザ及び電池ボックスが、光線の投影角度及び位置を自在に決定するためのフレキシブル構造体によって接続されたゴルフ練習用装置に関する技術が記載されている。このゴルフ練習用装置をゴルフクラブのグリップやシャフトに取り付け、ゴルフボールに対してヘッドが直角となる方向にレーザ光線を向けることによって、フェース面に対してボールを直角に当てるためのフォームの練習を行うことができる。
【０００５】
特許文献２には、ゴルフクラブのグリップエンドに覆い被せ、シャフトの軸方向にレーザを照射するゴルフ練習用装置に関する技術が記載されています。このゴルフ練習用装置によって、アドレス時やダウンスイング時などのゴルフクラブの方向を検知可能となり、正確なフォームの練習を行うことができる。
【先行技術文献】
【特許文献】
【０００６】
【特許文献１】実開平６−４８７３１号公報
【特許文献２】実開平６−１９７７０号公報
【考案の概要】
【考案が解決しようとする課題】
【０００７】
上記２種類の練習は、ゴルフの上達を図るうえでそれぞれ重要なものである。しかしながら、前述の考案に記載された技術ではどちらか一方の練習専用の装置を提供することしかできない。
【０００８】
また、特許文献１のゴルフ練習装置は、光線の角度を自在に変化させる為にフレキシブル構造体によって発光体の向きを変化させている。しかし、このような構成とすると、スイング時に発光体部分に対して力が加わり、光線の角度が変化する恐れがある。
【０００９】
本考案は、このような問題点に鑑みてなされたものであり、フェース面のチェックを行う練習と、シャフトの軸の方向のチェックを行う練習の双方の練習メニューに、より効果的に利用可能なゴルフ練習用装置を提供することを課題とする。
【課題を解決するための手段】
【００１０】
本考案は、上記のような実状に鑑みてなされたものであり、レーザ光線を照射するための発光装置と、前記発光装置を脱着可能に有する練習装置本体と、を備えたゴルフ練習用装置であって、前記発光装置は、レーザ光線を照射するために一端側に設けられた照射部と、前記レーザ光線の軸方向に沿って他端側から伸びるピン部と、を備え、前記練習用装置本体は、前記練習用装置本体をゴルフクラブに装着するための装着部と、前記発光装置を任意の方向に向けて固定装着するための可動固定部と、を備えることを特徴とする。
【００１１】
このような構成とすることで、フェース面のチェックを行う練習と、シャフトの軸の方向のチェックを行う練習の双方の練習メニューを、自身の所持するゴルフクラブを用いて、効果的に行うことができる。
【００１２】
本考案の好ましい形態では、前記可動固定部は、前記ゴルフクラブのシャフト軸に対して、水平となる１平面方向にのみ回転可動することを特徴とする。
このような構成とすることで、スイング時における発光体部分のズレを低減し、更にフェース面上での打点のチェックまでも行うことが可能となった。
【００１３】
本考案の好ましい形態では、前記レーザ光線は赤色光であることを特徴とする。
このような構成とすることで、芝生の上や、人工芝生の上、家庭用のパター練習用マットの上、など緑色のフィールド上における練習時の、視認性を向上させることができる。
【００１４】
本考案の好ましい形態では、前記装着部は、前記ゴルフクラブのシャフト若しくはグリップにかみ合わせるための可撓部材と、前記可撓性部材を覆い、締めつけを行う為の締め付け部材と、を備えることを特徴とする。
可撓性部材を締め付けることで締め付け部分の太さを変化させることが可能となり、太さの異なるグリップやシャフトに対して本装置を固定装着することが可能となる。
【考案の効果】
【００１５】
本考案によれば、フェース面のチェックを行う練習と、シャフトの軸の方向のチェックを行う練習の双方の練習メニューに、より効果的に利用可能なゴルフ練習用装置を提供することができる。
【図面の簡単な説明】
【００１６】
【図１】本考案の一実施形態を示す斜視図である。
【図２】本考案の一実施形態を示す分解斜視図である。
【図３】本考案の一実施形態の使用状態１を示す図である。
【図４】本考案の一実施形態の使用状態１を示す図である。
【図５】本考案の一実施形態の使用状態１を示す図の部分拡大図である。
【図６】本考案の一実施形態の使用状態２を示す図である。
【図７】本考案の一実施形態の使用状態２を示す図である。
【考案を実施するための形態】
【００１７】
以下、本本考案の一実施形態を図１ないし図７を参照して説明する。図１及び図２に示すように、本実施形態におけるゴルフ練習用装置１は、練習用装置本体２と、発光装置３と、を備える。
【００１８】
練習用装置本体２は、ゴルフクラブ４のシャフト５若しくはグリップ６に固定装着するための装着部２１と、発光装置３を固定装着するための可動固定部２４と、を備えている。本実施形態における装着部２１は、シャフト５若しくはグリップ６を覆うための、Ｃ字状の断面を有する略円筒状の可撓性部材２２と、前記可撓性部材の締め付けを行う為の、帯状の締め付け部材２３とによって構成される。ゴルフ練習用装置１は、図１（ａ）に示すように、可撓性部材２２をゴルフクラブ４のシャフト５又はグリップ６にはめ合わせ、図１（ｂ）に示すように、前記締め付け部材２３の内側に設けられ雄面ファスナー２３ａを締め上げながら前記練習用装置本体２の外周に配置された雌面ファスナー２３ｂに張り付けることによって、ゴルフクラブ４に固定装着される。ここでゴルフ練習用装置１の装着対象となるゴルフクラブ４はどのようなものでもよく、ウッド、アイアン、パターの何れクラブの練習にも用いることが可能である。
【００１９】
装着部２１は、ばね式のクリップや、万力状の機構などにより構成されていてもよいが、何れの場合もゴルフクラブ４と接する部分には可撓性を備えた材質が配置されているのが好ましい。また、締め付け部材２３に鉛プレートを入れるなどして、練習用装置本体２の重心をシャフト５の中心軸の位置近傍に設定することで、ウェイトとしても使用することができるため好ましい。
【００２０】
可動固定部２４は、発光装置３を固定装着するための固定部２４ａと、固定装着された発光装置３をシャフト５の軸に対して水平となる１平面方向に沿う形で回転可能にする可動部２４ｂと、を備えている。
【００２１】
発光装置３は、発光装置本体３１と、前記発光装置本体３１の一端側に設けられたレーザ光線を照射する発光体３２と、他端側に設けられ、照射されるレーザ光線と同軸上に伸びるピン部３３と、レーザ光線の照射の入切を行うスイッチ３４と、を備えている。前記発光装置本体３１は内部に電池を備えており、その電力を基に発光体３２から赤色レーザ光線を照射する。スイング時に固定部２４ａから発光装置３が抜け落ちないように、発光装置本体３１の一端側に固定部２４ａからの抜け止めが設けられていてもよい。
【００２２】
次いで、図３〜５を用いて、本実施形態における使用状態１の使用方法について説明する。
符号Ｂはゴルフボールを、符号ｐはレーザ光線の照射点を、符号Ｐはゴルフクラブ４のヘッドにおいて目標とする打点を、符号Ｌはレーザ光線の照射点ｐ及び発光体３２を結ぶ直線を、符号θは直線Ｌの垂直方向からの角度を、符号Ｓは角度θを変化させていった際の照射点ｐの軌跡を、それぞれ示している。
【００２３】
１．フェース面のチェック
図３は、ゴルフクラブ４に、ゴルフ練習用装置１を装着した状態を示す。Ｃ字型断面を有する可撓性部材２２にグリップ６を挿入して挟み込み、可撓性部材２２を締め付けるように締め付け部材２３を巻きつけることで、練習用装置１が固定装着される。
【００２４】
練習用装置本体２に装着された発光装置３は、可動部２４ｂを回転軸として一平面上に沿って回転するように構成されている。練習用装置１は、角度θを変化させていったときに直線Ｌによって形成される面がヘッドのフェース面と直交するように位置に装着される。装着する位置は任意であり、グリップ６に装着しても、シャフト５に装着しても構わない。この時、角度θを変化させていくと、フェース面と直交する軌跡Ｓが現れる。
【００２５】
上述するようにゴルフ練習装置１を装着することで、照射点ｐをフェース面正面方向に表示させることが可能である。図４に示すように、照射点ｐをフェース面の前方に表示することにより、ダウンスイング時に現れる照射点ｐの軌跡が直線を描く軌道であるならば、すなわち軌跡Ｓと同様の軌跡を描くならば、ボールＢに対してフェース面を直角にしてインパクトするスイングができたこととなる。
【００２６】
２．フェース面上の打点のチェック
また、図５に示すように、角度θが０度の時、すなわち照射点ｐがフェース面を指すとき、クラブの大きさや種類によってフェース面上の目標とする打点Ｐと照射点ｐの間にずれが生じる。打点Ｐは、例えばスイートスポットと呼ばれるヘッドの重心部分である。しかしながら、発光装置３が軌跡Ｓを描く向きにしか可動しないことによって、軌跡Ｓと打点Ｐのズレが、ボールＢの中心点から軌跡Ｓに引いた垂線と同一の長さとなる。そのため、前記ズレを加味して打点とボールＢの位置を調節することによって、フェース面上の打点Ｐを意識したフォームの練習を行うことが可能である。
【００２７】
３．シャフトの軸方向のチェック
次いで、図６及び図７を用いて、本実施形態における使用状態２の使用方法について説明する。
図６に示すように、ゴルフクラブ４のグリップエンドには、孔６１が設けられている。この孔６１に、練習装置本体２から取り外した発光装置３のピン部３３を挿入することで、シャフト５の軸方向にレーザ光線を照射することが可能である。
【００２８】
図７に示すように、シャフトの軸と同軸方向に照射されたレーザ光線による照射点ｐが打者方向に現れる。例えば、ダウンストローク中において、照射点ｐが左股関節あたりを照射されるようにスイングを行うことで、身体を捻った効果的な打球フォームを練習することが可能である。
【００２９】
また、打者の主観では、シャフト５の軸方向がどこを向いているのか分かりづらいが、レーザ光線によって照射点ｐが表示されることによって、トップ時やフォロースルー時などに、どのような姿勢をとっているかの理解を補助する効果が期待できる。これにより、プロのフォーム真似なども容易に行える。
【００３０】
本実施形態によれば、フェース面のチェックを行う練習と、フェース面上の打点のチェックを行う練習、シャフトの軸の方向のチェックを行う練習、をより効率的に行うことができる。
【産業上の利用可能性】
【００３１】
利用者自身のクラブを利用可能であり、安価で、尚且つ様々な練習に利用することができるゴルフ練習用装置を提供することができる。
【符号の説明】
【００３２】
１  ゴルフ練習用装置
２  練習用装置本体
２１  装着部
２２  可撓性部材
２３  締め付け部材
２３ａ  雄面ファスナー
２３ｂ  雌面ファスナー
２４  可動固定部
２４ａ  固定部
２４ｂ  可動部
３  発光装置
３１  発光装置本体
３２  発光体
３３  ピン部
３４  スイッチ
４  ゴルフクラブ
５  シャフト
６  グリップ
６１  孔
Ｂ  ボール
ｐ  照射点
Ｐ  打点
Ｌ  直線
θ  角度
Ｓ  軌跡
【図１】
0003194560.tif 000003
【図２】
0003194560.tif 000004
【図３】
0003194560.tif 000005
【図４】
0003194560.tif 000006
【図５】
0003194560.tif 000007
【図６】
0003194560.tif 000008
【図７】
0003194560.tif 000009